(57)【要約】【課題】衛星ギヤと第一・第二移動体との間の動力伝達状態を簡単な構成で維持する。【解決手段】衛星ギヤ１２を支持する支持部材１３に係合部３０・３１を形成し、ピックアップを保持する第一移動体１９に、第一移動体の移動軌跡に沿って延在する第一被係合部２１を形成し、第一移動体が前記衛星ギヤを介してモータ６により移動されたとき、係合部に第一被係合部を係合させて衛星ギヤと前記第一移動体との間の動力伝達状態を維持した。また、第二移動体２４に、第二移動体の移動軌跡に沿って延在する第二被係合部２６を設け、第二移動体２４が衛星ギヤを介してモータにより移動されたとき、係合部３１に第二被係合部２６を係合させて衛星ギヤ１２と第二移動体２４との間の動力伝達状態を維持した。【選択図】　　　　図２
2004103138.tif 000002
【特許請求の範囲】
【請求項１】
モータ（６）により回転駆動される太陽ギヤ（１１）と、この太陽ギヤの中心を軸にして回動自在に支持された支持部材（１３）と、この支持部材に回転自在に支持されて太陽ギヤに噛合する衛星ギヤ（１２）と、ピックアップを保持して往復移動する第一移動体（１８）と、再生位置と交換位置との間においてディスクを適宜搬送するとともにクランパをターンテーブルに対して適宜接離する第二移動体（２４）（６１）とを具備し、前記衛星ギヤを介してモータの動力を第一移動体および第二移動体に択一的に伝達するようにしたディスク再生装置において、
前記支持部材に係合部（３０）（３１）を設け、
前記第一移動体に、第一移動体の移動軌跡に沿って延在する第一被係合部（２１）を設け、
前記第二移動体に、第二移動体の移動軌跡に沿って延在する第二被係合部（２６）を設け、
第一移動体が前記衛星ギヤを介してモータにより移動されたとき、前記係合部に第一被係合部を係合させて衛星ギヤと前記第一移動体との間の動力伝達状態を維持し、
第二移動体が前記衛星ギヤを介してモータにより移動されたとき、前記係合部に第二被係合部を係合させて衛星ギヤと前記第二移動体との間の動力伝達状態を維持し、
前記モータの回転方向に応じて衛星ギヤを一方または他方に回動させてモータの動力を第一移動体及び第二移動体に択一的に伝達したことを特徴とするディスク再生装置。
【請求項２】
前記第一移動体はストッパ部（３３）を有し、前記係合部が第二被係合部に係合しているとき、ストッパ部と前記係合部との当接により第一移動体の移動を禁止することを特徴とする請求項１に記載のディスク再生装置。
【請求項３】
前記衛星ギヤの回転軸（２９）を、該支持部材の回動支点（２８）と係合部（３０）との間の距離の半分より、回動支点側に設けたことを特徴とする請求項１に記載のディスク再生装置。
【発明の詳細な説明】
【０００１】
【発明が属する技術分野】
本発明は、ピックアップの駆動とディスクの搬送とを共通のモータで行うディスク再生装置に関する。
【０００２】
【従来の技術】
ディスク再生装置では、装置のコストダウンを図るためディスクを交換位置と再生位置の間を搬送するローデングギヤと、ピックアップを保持する保持体を進退移動させる伝達ギヤとに共通のモータの動力を択一的に伝達するようにしている。特開２０００−２９８９０３号公報に記載されたディスク再生装置では、モータの回転をウォームギヤからウォームホイルに伝え、このウォームホイルの回転をさらに減速させて終端ギヤ１８に伝達している。そして、この終端ギヤの周りを回動する切り換えギヤ１２を、終端ギヤの回転方向の切換えに応じて一方または他方に回動させて、切り換えギヤ１２をギヤ１９（伝達ギヤ）とギヤ２０（ローディングギヤ）とに択一的に噛合させている。
【０００３】
この切り換えギヤ１２は、ギヤ２０を介してピックアップ送りをするリードスクリュウ１０にモータの回転を伝える。ピックアップは、リードスクリュウの回転でディスクの中心と外周との間を進退移動する。そして、ピックアップが移動している間は、モータの回転方向が変わっても切り換えギヤとギヤ２０との噛合状態を維持するために、第二のフック部材１５と板バネ１６とを設けている。また、ディスク再生装置においては、ピックアップの移動を歯車で行う場合、ギヤの噛合いによりバックラッシュをできる限り小さくしてピックアップが勝手に空動しないようにしている。このため上記板バネ１６は、切り換えギヤとギヤ２０とが噛合う方向に第二フック部材を付勢することで、切り換えギヤとギヤ２０との噛合いにおけるバックラッシュを小さくしている。さらに、切り換えギヤがディスクローディングを行うギヤ１９噛合って、ディスクローディングが行われている間は、モータの回転方向が変わっても切り換えギヤとギヤ１９との噛合状態を維持するために、第一のフック部材１３と捻りコイルバネ１４とを設けている。
【０００４】
【発明が解決しようとする課題】
上記の公報に示されたディスク再生装置では、切り換えギヤ１２とギヤ１９及びギヤ２０との噛合状態を維持するために第一・第二フック部材と板バネ及び捻りコイルバネとを設る複雑な構成となっている。また、切り換えギヤとギヤ２０との噛合いによるバックラッシュを小さくするために、板バネ１６を用いる複雑な構成となっている。本発明は、簡単な構成でギヤの噛合い状態を維持し、ギヤの噛合いによるバックラッシュを小さくできるディスク再生装置を提供する。
【０００５】
【課題を解決するための手段】
本発明のディスク再生装置は、衛星ギヤを支持する支持部材に係合部を形成し、ピックアップを保持する第一移動体に、第一移動体の移動軌跡に沿って延在する第一被係合部を形成した。そして、第一移動体が前記衛星ギヤを介してモータにより移動されたとき、係合部に第一被係合部を係合させて衛星ギヤと前記第一移動体との間の動力伝達状態を維持した。また、再生位置と交換位置との間においてディスクを適宜搬送するとともにクランパをターンテーブルに対して適宜接離する第二移動体に、第二移動体の移動軌跡に沿って延在する第二被係合部を設け、第二移動体が衛星ギヤを介してモータにより移動されたとき、係合部に第二被係合部を係合させて衛星ギヤと第二移動体との間の動力伝達状態を維持した。
【０００６】
本発明ではディスク再生装置に必然的に用いられるピックアップを保持する第一移動体と、再生位置と交換位置との間においてディスクを適宜搬送するとともにクランパをターンテーブルに対して適宜接離する第二移動体とに被係合部を設け、衛星ギヤを支持した支持部材に係合部を設けることで、衛星ギヤと第一・第二移動体との間の動力伝達状態を択一的に維持するようにしてディスク再生装置の構成の簡素化を図っている。また、係合部を支持板の回動先端側に形成することで衛星ギヤと伝達ギヤとのバックラッシュを小さくしている。特に、衛星ギヤの回転軸を、支持板の回動支点と係合部との中間位置より回動支点側に設けると、衛星ギヤと伝達ギヤとのバックラッシュの大きさを、係合部と被係合部との嵌合ギャップの半分以下にすることができる。
【０００７】
さらに、第一移動体にストッパ部を形成して、係合部が第二被係合部に係合しているとき、ストッパ部と係合部との当接により第一移動体の移動を禁止するようにすると、第二移動体に衛星ギヤの回転が伝達される状態において、ピックアップをディスク再生開始の位置にロックでき、このロックの解除と同時にディスク再生動作を開始することができる。
【０００８】
【発明の実施の形態】
本発明のディスク再生装置の第一の実施の形態を図１〜図８で説明する。図１はディスク再生装置の基板１を裏側から見た斜視図で、基板１の中央にはターンテーブルモータ２が取り付けられ、このターンテーブルモータ２に近接した位置から基板１のコーナに向けてピックアップを保持する保持体３がガイド軸４および基板１の折曲片５に、移動自在に支持されている。ターンテーブルモータ２の隣には、保持体３を移動させるモータ６が取り付けられている。このモータ６には出力軸にウォームギヤ７が取付けられ、このウォームギヤ７の先端は、基板１から立設するストッパ８に接している。モータ６の出力軸はウォームギヤ７の先端がストッパ８に接することでスラスト量を小さく規制されている。
【０００９】
図２に示すようにウォームギヤ７は大径のウォームホイル９に噛合い、ウォームホイル９は、ほぼ同径の大径ギヤ１０に噛合い、この大径ギヤ１０には一体に回転する小径の太陽ギヤ１１を形成している。この太陽ギヤ１１には衛星ギヤ１２が常時噛合っていてこの衛星ギヤ１２は太陽ギヤ１１の支軸を回動支点とする支持板１３（支持部材）に取付けられている。衛星ギヤ１２の両側には、衛星ギヤ１２が太陽ギヤ１１の周りを回動したとき択一的に噛合う第一ギヤ１４と第二ギヤ１５とが配置されている。
【００１０】
この第一ギヤ１４は第三ギヤ１６に常時噛合っていて、第三ギヤ１６は第三ギヤに一体形成される第四ギヤ１７を第一ラックギヤ１８に噛合わせている。この第一ラックギヤ１８は、長尺の台座１９（第一移動体）に弾性部２０を介して取付けられている。そして第一ラックギヤ１８は、弾性部２０の弾力で歯先を第四ギヤ１７に押付けて、第四ギヤ１７とのバックラッシュがゼロとなるように取付けられている。この台座１９は、保持体３に取付けられており、第一ラックギヤ１８が第四ギヤ１７の回転を受けて移動すると、第四ギヤ１７の回転方向に応じて保持体３を進退移動させる。また、この台座１９には第一ラックギヤ１８と平行な細長い第一溝２１（第一被係合部）が基板１に対向する面に形成されている。
【００１１】
第二ギヤ１５は、小径の第五ギヤ２２を一体に形成し、この第五ギヤ２２に小径の第六ギヤ２３が噛合っている。この第六ギヤ２３は基板１の側面に進退移動自在に取付けられたラック板２４（第二移動体）の第二ラック２５に噛合っている。ラック板２４は第六ギヤ２３の回転方向に応じて基板１の側面を進退移動し、ディスクの搬送やクランプの動作を行わせる。このラック板２４には基板１に対向する面にラック板２４の移動方向に平行な細長い第二溝２６（第二被係合部）が形成されている。
【００１２】
図３に示すように支持板１３には太陽ギヤ１１の支軸２７に嵌合する軸孔２８と、衛星ギヤ１２を支持する支持軸２９と、一端側に第一溝２１に嵌合する第一突起３０（係合部）と、他端側に第二溝２６に嵌合する第二突起３１（係合部）が形成されている。そして、軸孔２８の中心と支持軸２９の中心との距離を、軸孔２８から第一突起３０までの距離の半分の長さより短い長さに設定している。すなわち、第一突起３０の回動量は衛星ギヤ１２の回動量の二倍以上に設定されている。そして、第一突起３０が第一溝２１に嵌合したとき、衛星ギヤ１２が第一ギヤ１４に噛合った状態に保持され、第二突起３１が第二溝２６に嵌合したとき、衛星ギヤ１２が第二ギヤ１５に噛合った状態に保持される。また、支持軸２８には圧縮コイルバネ３２が装着され、圧縮コイルバネ３２は支持軸２９に衛星ギヤ１２が取付けられるときに圧縮され、この反発力で衛星ギヤ１２の回転に回転抵抗を与える。
【００１３】
前記台座１９には、保持体３がターンテーブルモータ２に接近し再生開始位置にあって、衛星ギヤ１２が第二ギヤ１５に噛合っているとき、第一突起３０に対峙して保持体３の再生方向への移動を阻止する阻止片３３（ストッパ部）が設けられている。この阻止片３３は、第一突起３０と共同してピックアップをディスク再生時以外のときは再生開始位置に保持させる。
【００１４】
本発明の実施の形態において、ウォームギヤ７がストッパ８によりスラスト方向の移動が規制され、ウォームギヤとウォームホイル９の噛合いによるバックラシュは最小の値に設定される。またウォームホイル９と大径ギヤ１０及び第一ギヤ１４と第三１６ギヤも、回転軸が基板１に固定されるのでバックラシュは最小の値に設定できる。また、太陽ギヤ１１と衛星ギヤ１２との噛合いも双方のギヤの回転軸の中心が平らな支持板に設けられるので、バックラッシュは最小の値に設定できる。しかし、衛星ギヤ１２と第一ギヤ１４との噛合いは、衛星ギヤ１２が回動自在に支持されていることから、太陽ギヤ１１が衛星ギヤ１２を第一ギヤ１４から引き離す方向に回転するときは、衛星ギヤ１２が第一ギヤ１４から離反しようとするのでバックラッシュ量が増加する。
【００１５】
ところが、本発明では第一突起３０の回動量の大きさは、衛星ギヤ１２の回動量の大きさの二倍以上に設定されていることから、上記離反による衛星ギヤ１２と第一ギヤ１４とのバックラッシュの大きさは、第一溝２１と第一突起３０の嵌合隙間の半分以下に規制することができる。例えば第一突起３０と第二溝２１との嵌合の余裕が０．１ミリであったとすると、衛星ギヤ１２と第一ギヤ１４とのバックラッシュの大きさは０．０５ミリ以下となり、充分に小さく規制することができる。
【００１６】
図４はディスクを搬送する機構を示す平面図で基板１の上面には、挿入口４１から挿入されるディスクの外周に回動先端を押されて支点４２を中心にして回動する押戻しレバー４３、この押戻しレバー４３のカム溝４４に係合して支点４５を中心に回動する押込みレバー４６、図示しないターンテーブルの真上に位置するクランパ４７を基板１の面に対して昇降支持するクランパ支持板４８、ディスクを案内する直線ガイド４９、さらにディスクをターンテーブルとクランパ４７との間に案内するガイド板５０が配置されている。押戻しレバー４３には、押戻しレバー４３がディスクに押されて所定量回動したときラック板２４に形成される第三ラック５１に噛合う円弧ギヤ５２が形成されている。また押込みレバー４６には、押戻しレバー４３の回動に伴って押込みレバー４６が支点４５を中心に時計方向に回動するとき、ディスクの外周に当接してディスクを挿入口４１からターンテーブルの上に押し込む押込み片５３が形成されている。また、ラック板２４にはクランパ支持板４８の接片５４に係合する階段カム５５が形成されており、ラック２４板が図中挿入口方向に移動すると階段カム５５はクランパ４７を基板１の面に接近させるようにクランパ支持板４８を回動させる。
【００１７】
図５から図８に亘ってモータ６の回転を、ディスクを搬送する状態からピックアップを駆動する状態に切換える過程を説明する。図５はモータ６の回転がディスクを搬送する状態を示している。このとき支持板１３の第二突起３１は第二溝２６に嵌合しており、衛星ギヤ１２は第二ギヤ１５に噛合いの状態を維持されている。一方、第一突起３０は第一溝２１から大きく離れた位置にあり、阻止片３３に対峙している。そして、保持体３がディスクの外周方向に向かって移動しようとすると、阻止片３３が第一突起３０に当接して保持体３の移動を禁止している。このため保持体３は、阻止片３３によりディスク再生時以外はディスクの再生開始位置からの移動を規制されている。
【００１８】
そして、ディスクが挿入口４１に挿入されて押戻しレバー４３の円弧ギヤ５２がラック板２４の第三ラック５１に噛合うとき、図示しないスイッチがモータ６を起動させる。するとモータ６は、ウォームホイル９は図中反時計方向に回転させる。そして大径ギヤ１０及び太陽ギヤ１１は時計方向に回転し、衛星ギヤ１２を第二ギヤ１５から引き離す方向に回転する。しかし、第二突起３１と第二溝２６とが嵌合していることで、衛星ギヤ１２は第二ギヤ１５に噛合いの状態を維持される。そして衛星ギヤ１２の回転は、第五・第六ギヤ２２、２３を介してラック板２４に伝達されてラック板２４は右方へと移動を開始する。このラック板２４の移動で、ディスクは押戻しレバー４３と押込みレバー４６とが回動することにより、ターンテーブルの上の再生位置に搬送される。またラック板２４の移動で、階段カム５５がクランパ４７を基板１の上面に接近させてクランパ４７がディスクをターンテーブルに挟持する。
【００１９】
図６に示すように、ラック板２４は右方への移動終端で第二突起３１を第二溝２６から離脱させる。すると衛星ギヤ１２は、図７に示すように太陽ギヤ１１の回転を受けて支持板１３とともに時計方向に回動し、第一ギヤ１４に噛合って第一ギヤ１４を時計方向に回転させる。また、この支持板１３の回動で第一突起３０は第一溝２１の移動軌跡内に移動する。一方、第一ギヤ１４に噛合う第三ギヤ１６は反時計方向に向けて回転し、第一ラックギヤ１８を介して保持体３をディスクの外周方向に移動させる。この第一ラックギヤ１８の移動で第一溝２１は、図８に示すように第一突起３０に嵌合して衛星ギヤ１２と第一ギヤ１４との噛合い状態を維持する。衛星ギヤ１２は、太陽ギヤ１１が時計方向に回転するとき、第一ギヤ１４に当接する方向に太陽ギヤ１１の回転力で付勢され、バックラシュがゼロの状態で第一ギヤ１４に噛合っている。このとき保持体３はディスクの外周方向に向かう通常の再生動作を行っている。
【００２０】
このディスクの再生が行われているときにリピートの操作が行なわれると、モータ６が逆転して保持体３がターンテーブルモータ２の方向に移動を開始する。このモータ６の逆転を受けて太陽ギヤ１１が反時計方向に回転すると、衛星ギヤ１２は第一ギヤ１４から離れる方向の付勢力を太陽ギヤ１１から受取る。しかし、第一突起３０が第一溝２１に嵌合しているため、衛星ギヤ１２は第一突起３０と第一溝２１との嵌合の余裕の半分以下しか反時計方向に回動できない。また、衛星ギヤ１２と第一ギヤ１４とのバックラッシュの増加は小さな値に抑えられる。この結果、保持体が曲の先頭を検出して再生を開始するためモータが正転すると、直ちにピックアップをディスク再生方向への移動を開始させることができる。
【００２１】
図９は第二被係合部の第二の実施形態を示し、第一の実施の形態と同一の部材は同一の符号を使って説明している。図９は、ディスクを搬送する機構を示しており、基板１の上面には、挿入口４１に挿入されるディスクに押されて回動する押戻しレバー６１と、第一の実施形態と同じ押込みレバー４６、クランパ４７を基板１の面に対して昇降支持するクランパ支持板４８、ディスクを案内する直線ガイド４９、さらにディスクをターンテーブルとクランパとの間に案内するガイド板５０が配置されている。そして、押込みレバー４６には、押込みレバー４６が支点４５を中心に時計方向に回動するとき、ディスクの外周に当接してディスクを挿入口４１からターンテーブルの上に押し込む押込み片５３が形成されている。
【００２２】
この第二の実施形態に示される押戻しレバー６１（第二移動体）には、押戻しレバー６１がディスクに押されて所定量回動したときラック板２４に形成される第三ラック５１に噛合う円弧ギヤ５２と、支持板１３の第二突起３１に係合する円弧カム６２（第二被係合部）とが形成されている。この円弧カム６２は、ディスクが押戻しレバー６１と押込みレバー４６とによりターンテーブル上に送り込まれ、さらにディスクがクランパによりターンテーブルに挟持されたとき第二突起３１との係合が外れて支持板１３の回動規制を解除するように形成されている。このように第二移動体及び第二被係合部を回動自在な押戻しレバーに形成しても良い。
【００２３】
【発明の効果】
本発明のディスク再生装置は、衛星ギヤ１２を支持する支持部材１３に係合部３０・３１を形成し、ピックアップを保持する第一移動体１９に、第一移動体の移動軌跡に沿って延在する第一被係合部２１を形成した。そして、第一移動体が前記衛星ギヤを介してモータ６により移動されたとき、係合部に第一被係合部を係合させて衛星ギヤと前記第一移動体との間の動力伝達状態を維持した。また、再生位置と交換位置との間においてディスクを適宜搬送するとともにクランパをターンテーブルに対して適宜接離する第二移動体２４に、第二移動体の移動軌跡に沿って延在する第二被係合部２６を設け、第二移動体２４が衛星ギヤを介してモータにより移動されたとき、係合部３１に第二被係合部２６を係合させて衛星ギヤ１２と第二移動体２４との間の動力伝達状態を維持した。本発明ではディスク再生装置に必然的に用いられるピックアップを保持する第一移動体と、再生位置と交換位置との間においてディスクを適宜搬送するとともにクランパをターンテーブルに対して適宜接離する第二移動体とに被係合部を設け、衛星ギヤを支持した支持部材に係合部を設けることで、衛星ギヤと第一・第二移動体との間の動力伝達状態を択一的に維持するようにしてディスク再生装置の構成の簡素化を図っている。
【図面の簡単な説明】
【図１】第一の実施の形態を示すディスク再生装置を基板の裏側から見た斜視図。
【図２】ディスク再生装置を上面側から基板を透して見た平面図。
【図３】支持部材の詳細を示す斜視図。
【図４】第一の実施の形態によるディスク再生装置を基板の上面から見た示す平面図。
【図５】ディスクが搬送されるときのモータの回転伝達状態を示す図。
【図６】ディスクの搬送が終了したときの状態を示す図。
【図７】モータの回転がピックアップに伝達されたときの状態を示す図。
【図８】ピックアップが移動した状態を示す図。
【図９】第二の実施の形態によるディスク再生装置を示す平面図。
【符号の説明】
３　　　　保持体
６　　　　モータ
１１　　　　太陽ギヤ
１２　　　　衛星ギヤ
１３　　　　支持板（支持部材）
１９　　　　台座（第一移動体）
２１　　　　第一溝（第一被係合部）
２４　　　　ラック板（第二移動体）
２６　　　　第二溝（第二被係合部）
３０　　　　第一突起（係合部）
３１　　　　第二突起（係合部）
２８　　　　回動支点
３３　　　　ストッパ部
４７　　　　クランパ
６１　　　　押戻しレバー（第二移動体）
６２　　　　円弧カム（第二被係合部）
【図１】
2004103138.tif 000003
【図２】
2004103138.tif 000004
【図３】
2004103138.tif 000005
【図４】
2004103138.tif 000006
【図５】
2004103138.tif 000007
【図６】
2004103138.tif 000008
【図７】
2004103138.tif 000009
【図８】
2004103138.tif 000010
【図９】
2004103138.tif 000011